(57)【要約】      （修正有）【課題】使用コストが低く、設置スペースを取らず、マッサージ突起が無理やり人体を轢くことがない移動式ローラーもみほぐしフットマッサージ装置を提供する。【解決手段】支持フレーム１０と、動力装置２０と、二つのマッサージ部材３０とを含む。支持フレーム１０は底部１１があり、底部１１よりポール１２が伸び、そして中空管状のレール１３が設けられる。動力装置２０はレール１３内に設置され、動力装置２０は中心軸棒と連接されることによって、中心軸棒は動力装置２０が起動される時に継続的に連動されて回転する。マッサージ部材３０はそれぞれ回転ブロック３１があり、回転ブロック３１の外周に多数のローラー３１１が枢接される。回転ブロック３１は組接部の中間部分に固定されることで回転ブロック３１は中心軸棒と同時に移動できる。回転ブロック３１の両側は外へ向かってそれぞれ偏心が設けられて組接部のマッサージ機構３２に嵌められる。【選択図】図１
0003217271.tif 000002
【実用新案登録請求の範囲】
【請求項１】
支持フレームと、動力装置と、二つのマッサージ部材とを含む移動式ローラーもみほぐしフットマッサージ装置であって、
前記支持フレームは底部があり、前記底部よりポールが伸び、そして中空管状のレールが設けられ、前記レールは第一端と第二端段があり、前記レールの第一端、第二端段は前記底部、ポールの頂点とそれぞれ結合することで前記レールは斜め方向に前記ポールと底部との間に設けられ、また前記レールの両側にそれぞれ長い開孔が貫通され、
前記動力装置は前記レール内に設置されることで前記動力装置は前記レールで往復に上、下に移動し、或いは任意の位置で停止し、前記動力装置は中心軸棒に連接されることによって、前記中心軸棒は動力装置が起動される時に継続的に連動されて回転し、前記長い開孔の設置により前記中心軸棒の両側にそれぞれ組接部によって前記長い開孔より前記レールが突き出され、組接部によりマッサージ部材が取り付けられ、
前記マッサージ部材はそれぞれ回転ブロックがあり、前記回転ブロックの外周に多数のローラーが枢接され、前記回転ブロックは前記組接部の中間部分に固定されることで前記回転ブロックは前記中心軸棒と同時に移動でき、前記回転ブロックの両側は外へ向かってそれぞれ偏心が設けられて前記組接部のマッサージ機構に嵌められ、また前記二つのマッサージ機構の外側にそれぞれ前記組接部に固定される回転ベースが設けられ、また前記回転ベースの両側にはそれぞれ平面と斜面が設けられ、同マッサージ部材にある二つの回転ベースは前記斜面に対して対向し、前記斜面は前記マッサージ機構が寄り掛かることを提供し、前記マッサージ機構が前記斜面により予定の偏心角度を維持でき、前記の二つのマッサージ機構の接触面がＶ字型に分けられる以外、さらに前記マッサージ機構と前記レールとの間に大きすぎる隙間が形成されることも避けられ、前記マッサージ機構の接触面に多数のマッサージヘッドが設けられ、また前記マッサージ部材にある二つのマッサージ機構はそれぞれ軸受けの取り付けによりスムーズに前記組接部に枢接されることを特徴とする移動式ローラーもみほぐしフットマッサージ装置。
【請求項２】
前記レースの第二端段に少なくとも二つのスイッチが設けられ、前記二つのスイッチによってそれぞれ動力装置のオンオフ或いは任意の位置で運転停止させることを操作することを特徴とする請求項１に記載の移動式ローラーもみほぐしフットマッサージ装置。
【請求項３】
前記動力装置は十字ネジ棒と減速モーターとの組み合わせであって、前記モーターの正方向、逆方向運転によって前記十字ネジ棒において往復移動し、或いは任意の位置で停止し、前記モーターによって前記中心軸棒と連接させ、それに前記中心軸棒は前記モーターが作動する時に連動されて回転することを特徴とする請求項１に記載の移動式ローラーもみほぐしフットマッサージ装置。
【請求項４】
前記マッサージ機構は、ボウル状構造であって、同マッサージ部材にある二つのマッサージ機構を円弧状曲線の接触面によって向かい合わせるように維持することを特徴とする請求項１に記載の移動式ローラーもみほぐしフットマッサージ装置。
【請求項５】
前記マッサージ機構の接触面には柔らかい材質のマッサージヘッドが固設されることを特徴とする請求項１に記載の移動式ローラーもみほぐしフットマッサージ装置。
【請求項６】
同マッサージ部材の二つのマッサージ機構の間は共同に布カバーが結合され、前記布カバーによって同マッサージ部材の二つのマッサージ機構と回転ブロックとを覆うことを特徴とする請求項１に記載の移動式ローラーもみほぐしフットマッサージ装置。
【請求項７】
前記布カバーの側端は折り返した後、前記マッサージ機構と結合することを特徴とする請求項６に記載の移動式ローラーもみほぐしフットマッサージ装置。
【請求項８】
前記軸受けは偏心軸受けであることを特徴とする請求項１に記載の移動式ローラーもみほぐしフットマッサージ装置。
【考案の詳細な説明】
【技術分野】
【０００１】
本考案は移動式ローラーもみほぐしフットマッサージ装置に関し、特に両足に対して循環式にもみほぐしの足部のマッサージ装置に関する。
【背景技術】
【０００２】
伝統的なマッサージ装置は動力が確実に伝わらない問題があるため、本考案者は十字ネジ棒による連動で足部の循環式マッサージ機を考案し、その構造形態は図１１〜図１４に示され、或いは台湾特許証書番号第Ｉ５４９６７３番に示されるように、底カバー５０、動力装置６０と二つのマッサージ部材７０を含む。そして、底カバー５０の上に人体の足部を入れる二つの収容部５１が設けられ、二つの収容部５１の外側が底カバー５０の内にそれぞれ第一収容室５２が形成され、また前記二つの第一収容室５２の中はそれぞれ斜め方向に板状の誘導レール５３が取り付けられる。二つの収容部５１が仕切られることで、底カバー５０の内部中央に第二収容室５４が形成される。動力装置６０には二つの互いに合わせるカバー体６１があり、カバー体６１の中に駆動器６２、伝導棒６３と十字ネジ棒６４が設けられる。前記駆動器６２は正方向、逆方向に運転できるモーターであり、伝導棒６３はカバー体６１の両側より伸ばされ、カバー体６１の両側より伸ばされた結合段６３１によりマッサージ部材７０が取り付けられる。十字ネジ棒６４はカバー体６１の上、下方より突き出され、また駆動器６２と伝導棒６３との間は歯車セット６５の組み合わせを利用することで、駆動器６２の動力は伝導棒６３へ伝われる。十字ネジ棒６４には内部が単方向軸受け（図に示していない）の連動歯車６６が設けられ、前記連動歯車６６によって歯車セット６５と連接されることで、連動歯車６６は十字ネジ棒６４で駆動器６２によって単方向に連動される。また前記動力装置６０は底カバー５０の内部に入れられることで、十字ネジ棒６４は斜め方向に第二収容室５４にかけられる。マッサージ部材７０はそれぞれ内から外へ順番に結合段６３１に嵌められる第一マッサージ機構７１、軸管７２、第二マッサージ７３、バネ７４、と結合段６３１側に固設されるストップ部７５がある。前記ストップ部７５の位置制限によって、第一マッサージ機構７１、軸管７２、第二マッサージ機構７３、バネ７４が嵌めて設けられた後に再び側向離脱を生じることが防止できる。第二マッサージ機構７３とストップ部７５との間はバネ７４によって支えられるため、常態下においてバネ７４の弾力の解放によって第二マッサージ機構７３を軸管７２側へとくっつけられる。第二マッサージ機構７３が力を受ける時、第二マッサージ機構７３が外へと平行移動できるため、ついでにバネ７４を圧縮させ、及び前記ストップ部７５の外側はそれぞれ誘導レール５３を挿入させるレール溝７５１が設けられる。
【０００３】
使用時、両足は収容部５１より底カバー５０に入れることで両足はそれぞれ二つのマッサージ部材７０と接触できる。駆動器６２が単一方向へ回転すると、歯車セット６５の組み合わせによって伝導棒６３を連動して回転させる。これによって、二つのマッサージ部材７０の第一マッサージ機構７１と第二マッサージ機構７３はすべて継続的に回転できるため、揉みマッサージが可能になる。歯車セット６５の連接によって、動力が伝達されるだけでなく、連動歯車６６が十字ネジ棒６４で連動されて回転する。十字ネジ棒６４に沿って動力装置６０のカバー体６１、駆動器６２、伝導棒６３、歯車セット６５と二つのマッサージ部材７０はすべて循環式に上、下に移動できるため、両足の各部位をマッサージでき、両足は完全にリラックスできる。逆に、駆動器６２が反対方向へ回転する時、連動歯車６６内の単方向軸受けの空回りを利用することで、連動歯車６６の回転を駆動する動力が前記単方向軸受けによって取り消され、二つのマッサージ部材７０が連動されて稼動できなくなり、元の位置限定点でのマッサージが強められる。
【０００４】
従って、本考案者は前記考案を開発した後、自慢することなく、さらによりよくする精神をもって継続的に研究開発し、この構造の特徴をもっとわかりやすく、使えやすくするため、本考案者がその後の開発過程で、前記従来構造は実際の応用にあたって、以下の問題点が存在することを発見した。（一）足部循環式マッサージ機の動力装置６０とマッサージ部材７０は重い底カバー５０に取り付けてから正常に稼動するため、使用コストが高く、設置スペースを取ることである。（二）軸管７２にあるマッサージ突起は前記軸管７２の表面より直接に突き出し、前記軸管７２で回転できないため、使用時に、前記マッサージ突起は直接かつ無理やりに人体を轢いてしまうため、使用快適性が欠け、さらに使用者を痛くさせる或いは怪我させる恐れがある。
【０００５】
従って、本考案は本考案者が従来構造における不足部分についてさらに改良した結果、実用性に満ちた本考案を得た。
【考案の概要】
【考案が解決しようとする課題】
【０００６】
本考案が解決しようとする課題は、従来技術のマッサージ装置に存在する使用コストが高く、設置スペースを取り、マッサージ突起が無理やりに人体を轢いてしまう前記欠点について解決し、移動式ローラーもみほぐしフットマッサージ装置を提供する。
【課題を解決するための手段】
【０００７】
本考案の移動式ローラーもみほぐしフットマッサージ装置は、支持フレームと、動力装置と、二つのマッサージ部材とを含む。そして、支持フレームは底部があり、前記底部よりポールが伸び、そして中空管状のレールが設けられる。前記レールは第一端と第二端段があり、前記レールの第一端、第二端段は前記底部、ポールの頂点にそれぞれ結合されることで前記レールは斜め方向に前記ポールと底部との間に設けられる。また、前記レールの両側にそれぞれ長い開孔が貫通され、動力装置は前記レール内に設置されることで、前記動力装置は前記レールで往復に上、下に移動でき、或いは任意の位置で停止できる。前記動力装置は中心軸棒と連接されることによって、前記中心軸棒は動力装置が起動される時に継続的に連動されて回転し、前記長い開孔の設置により、前記中心軸棒の両側にそれぞれ組接部によって前記長い開孔より前記レールが突き出され、組接部によりマッサージ部材が取り付けられる。マッサージ部材はそれぞれ回転ブロックがあり、前記回転ブロックの外周に多数のローラーが枢接される。前記回転ブロックは前記組接部の中間部分に固定されることで前記回転ブロックは前記中心軸棒と同時に移動できる。前記回転ブロックの両側は外へ向かってそれぞれ偏心が設けられて前記組接部のマッサージ機構に嵌められる。また前記二つのマッサージ機構の外側にそれぞれ前記組接部に固定される回転ベースが設けられる。また、前記回転ベースの両側には、それぞれ平面と斜面が設けられ、同マッサージ部材にある二つの回転ベースは前記斜面に対して対向する。前記斜面は前記マッサージ機構が寄り掛かることを提供する。前記マッサージ機構が前記斜面により予定の偏心角度を維持でき、前記の二つのマッサージ機構の接触面がＶ字型に分けられる以外、さらに前記マッサージ機構と前記レールとの間に大きすぎる隙間が形成されることも避けられる。前記マッサージ機構の接触面に多数のマッサージヘッドが設けられ、また前記のマッサージ部材にある二つのマッサージ機構はそれぞれ軸受けの取り付けによりスムーズに前記組接部に枢接される。これによって、移動式ローラーもみほぐしフットマッサージ装置が構成される。
【０００８】
（一）本考案の移動式ローラーもみほぐしフットマッサージ装置は、支持フレームは前記動力装置とマッサージ部材を内部の重い底カバーに設置するのではないため、使用コストが低く、設置上にもスペースを取らない。
【０００９】
（二）本考案の移動式ローラーもみほぐしフットマッサージ装置は、前記ローラーと回転ブロックの枢接を利用すると、前記回転ブロックが中心軸棒に連動されて回転する時、ローラーの自由回転によって人体を揉み押し、直接にマッサージ装置によって無理やり人体を轢く設計ではないため、使用者を痛くさせる或いは怪我させることが避けられて、マッサージする時の快適性が倍増できる。
【００１０】
（三）本考案の移動式ローラーもみほぐしフットマッサージ装置は、同マッサージ部材にある二つのマッサージ機構の接触面はＶ字型に分けて設けられ、前記Ｖ字型の接触面のマッサージ機構が連続に揺れ動くことにより、順番に両足の大腿部、ふくらはぎ、脛、さらに足底に対して循環式の挟み揉みマッサージが行われる。前記設計は異なる使用者の足の太さを関係することなく、すべて適用できる。
【００１１】
（四）本考案の移動式ローラーもみほぐしフットマッサージ装置は、マッサージ機構が揺れ動くことにより、両足に対して挟み揉みの揉みほぐしマッサージが行われるため、マッサージ機構が無理やりに人体を轢いてしまう不快感も避けられる。
【図面の簡単な説明】
【００１２】
【図１】図１は、本考案に係る移動式ローラーもみほぐしフットマッサージ装置を示す立体図である。
【図２】図２は、本考案に係る移動式ローラーもみほぐしフットマッサージ装置を示す断面図である。
【図３】図３は、本考案に係る移動式ローラーもみほぐしフットマッサージ装置を示す使用状態図である。
【図４】図４は、本考案のマッサージ部材が上へ移動することを示す状態図である。
【図５】図５は、本考案のマッサージ機構が下方位置における揺れ動く角度を示す図である。
【図６】図６は、本考案のマッサージ機構が中段位置における揺れ動く角度を示す図である。
【図７】図７は、本考案のマッサージ機構が上方位置における揺れ動く角度を示す図である。
【図８】図８は、本考案のマッサージ機構が連続に揺れ動くことを示す状態図である。
【図９】図９は、本考案に係る移動式ローラーもみほぐしフットマッサージ装置がマッサージする時の接触を示す図である。
【図１０】図１０は、本考案に係る移動式ローラーもみほぐしフットマッサージ装置のもう一つの実施例図である。
【図１１】図１１は、従来構造の立体組立図である。
【図１２】図１２は、従来構造の立体分解図である。
【図１３】図１３は、従来構造の細部分解図である。
【図１４】図１４は、従来構造の組立断面図である。
【考案を実施するための形態】
【００１３】
まず、図１と図２を参照されたい。本考案の移動式ローラーもみほぐしフットマッサージ装置は、支持フレーム１０と、動力装置２０と、二つのマッサージ部材３０とを含む。その中、支持フレーム１０は底部１１があり、前記底部１１よりポール１２が伸び、そして中空管状のレール１３が設けられる。前記レール１３は第一端１３１と第二端段１３２があり、前記レール１３の第一端１３１、第二端段１３２は、前記底部１１、ポール１２の頂点にそれぞれ結合されることで前記レール１３は斜め方向に前記ポール１２と底部１１との間に設けられる。また、前記レール１３の両側にそれぞれ長い開孔１３３が貫通され、動力装置２０は前記レール１３内に設置されることで、前記動力装置２０は前記レール１３で往復に上、下に移動し、或いは任意の位置で停止できる。前記動力装置２０と中心軸棒２１の連接によって、前記中心軸棒２１は動力装置２０が起動される時に継続的に連動されて回転し、前記長い開孔１３３の設置により、前記中心軸棒２１の両側にそれぞれ組接部２１１によって前記長い開孔１３３より前記レール１３が突き出され、組接部２１１によりマッサージ部材３０が取り付けられる。マッサージ部材３０はそれぞれ回転ブロック３１があり、前記回転ブロック３１の外周に多数のローラー３１１が枢接される。前記回転ブロック３１は前記組接部２１１の中間部分に固定されることで前記回転ブロック３１は前記中心軸棒２１と同時に移動できる。前記回転ブロック３１の両側は外へ向かってそれぞれ偏心が設けられて前記組接部２１１のマッサージ機構３２に嵌められる。また前記二つのマッサージ機構３２の外側にそれぞれ前記組接部２１１に固定される回転ベース３３が設けられる。また、前記回転ベース３３の両側には、それぞれ平面３３１と斜面３３２が設けられ、同マッサージ部材３０にある二つの回転ベース３３は前記斜面３３２に対して対向する。前記斜面３３２は前記マッサージ機構３２が寄り掛かることを提供する。前記マッサージ機構３２が前記斜面３３２により予定の偏心角度を維持でき、前記の二つのマッサージ機構３２の接触面３２１がＶ字型に分けられる以外、さらに前記マッサージ機構３２と前記レール１３との間に大きすぎる隙間が形成されることも避けられる。前記マッサージ機構３２の接触面３２１に多数のマッサージヘッド３２２が設けられ、また前記のマッサージ部材３０にある二つのマッサージ機構３２はそれぞれ軸受け３４の取り付けによりスムーズに前記組接部２１１に枢接される。
【００１４】
前記レース１３の第二端段１３２に少なくとも二つのスイッチ１４が設けられ、前記二つのスイッチ１４によってそれぞれ動力装置２０のオンオフ或いは任意の位置で運転停止させることを操作する。
【００１５】
前記動力装置２０は十字ネジ棒と減速モーターの組み合わせであって、前記モーターの正方向、逆方向運転によって前記十字ネジ棒において往復移動し、或いは任意の位置で停止できる。前記モーターによって前記中心軸棒２１と連接させ、それに前記中心軸棒２１は、前記モーターが作動する時に連動されて回転する。
【００１６】
前記マッサージ機構３２は、ボウル状構造であって、同マッサージ部材３０にある二つのマッサージ機構３２を円弧状曲線の接触面３２１によって向かい合わせるように維持する。
【００１７】
前記マッサージ機構３２の接触面３２１には柔らかい材質のマッサージヘッド３２２が固設される。
【００１８】
同マッサージ部材３０の二つのマッサージ機構３２の間は共同に布カバー４０が結合され、前記布カバー４０によって同マッサージ部材３０の二つのマッサージ機構３２と回転ブロック３１とを覆うことになる（同時に図１０を参照されたい）。
【００１９】
前記布カバー４０の側端は前記マッサージ機構３２と前記回転ベース３３との間に形成された隙間より入れて折り返した後、前記マッサージ機構３２と結合する（同時に図１０を参照されたい）。
【００２０】
前記軸受け３４は偏心軸受けである。
【００２１】
実際に使用する時、両足を二つのマッサージ部材３０に接触させ（同時に図３を参照されたい）、前記動力装置２０によって二つのマッサージ部材３０を連動して、両足の大腿部、ふくらはぎ、脛、足底に沿って上下往復の循環マッサージが行われる（同時に図４を参照されたい）。或いは任意の位置で停止させ、停止時においても元位置点と同じ強さのマッサージができる。また、前記ローラー３１１と回転ブロック３１の枢接によって、前記回転ブロック３１で中心軸棒２１によって連動されて回転する時、ローラー３１１の自由回転によって人体を揉み押し、直接かつ無理やりに人体を轢いてしまう設計ではないため、使用者を痛くさせる或いは怪我させる恐れが避けられ、マッサージ時の快適性能が倍増できる。前記軸受け３４の枢接によって、マッサージ機構３２が中心軸棒２１において空回りすることで、中心軸棒２１が回転ベース３３を連動して回転する時、回転ベース３３の斜面３３２が上へ押し上げて作動することで、同マッサージ部材３０にある二つのマッサージ機構３２が連続に揺れ動くようになる（同時に図５より図９まで連続に合わせて参照されたい）。これによって、前記二つのマッサージ機構３２の接触面３２１が締めたり、放したりしているうちに人体に対して指圧式の揉みほぐしマッサージができる。
【００２２】
前記の移動式ローラーもみほぐしフットマッサージ装置は以下の利点がある。（一）支持フレーム１０は前記動力装置２０とマッサージ部材３０を内部の重い底カバーに設置するではないため、使用コストが低く、設置上にもスペースを取らない。（二）前記ローラー３１１と回転ブロック３１の枢接を利用すると、前記回転ブロック３１が中心軸棒２１に連動されて回転する時、ローラー３１１の自由回転によって人体を揉み押し、直接にマッサージ装置によって無理やり人体を轢く設計ではないため、使用者を痛くさせる或いは怪我させることが避けられて、マッサージする時の快適性が倍増できる。（三）同マッサージ部材３０にある二つのマッサージ機構３２の接触面３２１はＶ字型に分けて設けられ、前記Ｖ字型の接触面３２１のマッサージ機構３２が連続に揺れ動くことにより、順番に両足の大腿部、ふくらはぎ、脛、さらに足底に対して循環式の挟み揉みマッサージが行われる。前記設計は異なる使用者の足の太さを関係することなく、すべて適用できる。（四）マッサージ機構３２が揺れ動くことにより、両足に対して挟み揉みの揉みほぐしマッサージが行われるため、マッサージ機構３２が無理やりに人体を轢いてしまう不快感も避けられる。
【００２３】
以上は、本考案に係る実施例の一部に過ぎないため、本考案の実施範囲を制限するものではない。即ち、本考案の特許請求の範囲内で行われる変化、修飾なども本考案の範囲に属すべきである。
【符号の説明】
【００２４】
１０        支持フレーム
１１        底部
１２        ポール
１３        レール
１３１      第一端
１３２      第二端段
１３３      長い開孔
１４        スイッチ
２０        動力装置
２１        中心軸棒
２１１      組接部
３０        マッサージ部材
３１        回転ブロック
３１１      ローラー
３２        マッサージ機構
３２１      接触面
３２２      マッサージヘッド
３３        回転ベース
３３１      平面
３３２      斜面
３４        軸受け
４０        布カバー
５０        底カバー
５１        収容部
５２        第一収容室
５３        誘導レール
５４        第二収容室
６０        動力装置
６１        カバー体
６２        駆動器
６３        伝導棒
６３１      結合段
６４        十字ネジ棒
６５        歯車セット
６６        連動歯車
７０        マッサージ部材
７１        第一マッサージ機構
７２        軸管
７３        第二マッサージ機構
７４        バネ
７５        ストップ部
７５１      レール溝
【図１】
0003217271.tif 000003
【図２】
0003217271.tif 000004
【図３】
0003217271.tif 000005
【図４】
0003217271.tif 000006
【図５】
0003217271.tif 000007
【図６】
0003217271.tif 000008
【図７】
0003217271.tif 000009
【図８】
0003217271.tif 000010
【図９】
0003217271.tif 000011
【図１０】
0003217271.tif 000012
【図１１】
0003217271.tif 000013
【図１２】
0003217271.tif 000014
【図１３】
0003217271.tif 000015
【図１４】
0003217271.tif 000016